(57)【要約】【課題】歩行の障害にならず、排水効率の高い排水口を備えた側溝を提供する。【解決手段】側溝１ａの開口１１に設置する蓋２０ａの側面２１から横方向に突き出た突起５１を設け、開口１１の縁に沿って直線的な排水用の隙間を形成し、歩行に障害ならない程度の細く、しかしながら、側溝の長手方向に長く延びた排水用の隙間を備えた側溝を施工可能にする。さらに、この排水用の隙間は、グレーチングなどにより埋める必要がないので、低コストで排水効率の高い側溝を施工できる。【選択図】　　　　図１
2004076304.tif 000002
【特許請求の範囲】
【請求項１】
流路を形成し、上部の少なくとも一部が開口となった側溝本体と、前記開口に設置される蓋とを有する側溝であって、
前記蓋は、当該蓋を前記開口に設置したときに、当該蓋の少なくとも一辺を形成する第１の側面と、それに対峙する前記側溝本体の開口側の第２の側面とにより、前記第１および第２の側面の上端から下端に至る、断面が縦長の排水用の第１の空間が形成されるように、前記上端より下方で前記側溝本体の一部を基準として当該蓋の位置を決める手段を備えており、
前記蓋を設置した状態で、前記側溝の表面から前記排水用の第１の空間を通って前記流路に排水される経路が形成される側溝。
【請求項２】
請求項１において、前記第１および第２の側面の上端はほぼ平行に開き、前記蓋の第１の側面の上端の全長、および／または、前記開口の第２の側面の上端の全長に沿ってスリット状の第１の隙間が形成される側溝。
【請求項３】
請求項１において、前記第１の空間の幅は、前記蓋を支持するように前記側溝本体の開口の第２の側面の下端から当該開口の内側に張り出した蓋支持部の幅の約１／２以下である側溝。
【請求項４】
請求項１において、前記第１の側面の傾斜と、前記第２の側面の傾斜とが異なっており、前記排水用の第１の空間は、上端の幅より下端の幅が広い側溝。
【請求項５】
請求項１において、前記蓋の位置を決める手段は、前記第１の側面の上端より下側から前記第２の側面に向かって突き出た横突起であり、その横突起の上部にも縦長の空間が形成される側溝。
【請求項６】
請求項１において、前記蓋の位置を決める手段は、前記第１の側面の下側から前記第２の側面に向かい、両端が前記第２の側面の方が狭くなったテーパ状の横突起である側溝。
【請求項７】
請求項１において、前記蓋の位置を決める手段は、前記蓋を前記側溝本体の蓋支持部に載せたときに、その蓋支持部の少なくとも一部に係る係合部であり、その係合部は、前記蓋の裏面から下方に斜めまたは湾曲しながら突き出た下突起を備えており、
前記側溝本体の蓋支持部の内側に、前記下突起の斜め側方と当たるように傾斜また湾曲した支持面が形成されている側溝。
【請求項８】
請求項７において、前記下突起は、前記蓋の両縁に沿って縁からの距離が非対称な位置に２列に形成されている側溝。
【請求項９】
請求項８において、前記蓋の中央部分の厚みが、蓋の両縁部分の厚みと同じまたは小さい側溝。
【請求項１０】
請求項１において、前記排水用の第１の空間は、当該側溝の長手方向の両側に形成されている側溝。
【請求項１１】
請求項１０において、前記蓋の前記第１の側面の下方の一部および／または前記側溝本体の前記第２の側面の下方の蓋支持部の一部が、前記排水用の第１の空間から前記流路に排水される経路を形成するように切り欠かれている側溝。
【請求項１２】
請求項１において、前記排水用の第１の空間は、当該側溝の長手方向および／または幅方向に形成されている側溝。
【請求項１３】
請求項１において、前記蓋は、当該蓋を前記開口に設置したときに、当該蓋の少なくとも他の一辺を形成する第３の側面と、それに対峙する他の前記蓋の第４の側面とにより、前記第３および第４の側面の上端から下端に至る、断面が縦長の排水用の第２の空間が形成されるように、前記上端より下方で当該蓋同士の位置を決める手段を備えており、
前記蓋を設置した状態で、前記側溝の表面から前記排水用の第２の空間を通って前記流路に排水される経路が形成される側溝。
【請求項１４】
請求項１３において、前記第３および第４の側面の上端はほぼ平行に開き、前記蓋の第３の側面の上端の全長に沿ってスリット状の第２の隙間が形成される側溝。
【請求項１５】
流路を形成し、上部の少なくとも一部が開口となった側溝本体と、前記開口に設置される蓋とを有する側溝であって、
前記蓋は、当該蓋を前記開口に設置したときに、当該蓋の少なくとも一辺を形成する第３の側面と、それに対峙する他の前記蓋の第４の側面とにより、前記第３および第４の側面の上端から下端に至る、断面が縦長の排水用の第２の空間が形成されるように、前記上端より下方で当該蓋同士の位置を決める手段を備えており、
前記蓋を設置した状態で、前記側溝の表面から前記排水用の第２の空間を通って前記流路に排水される経路が形成される側溝。
【請求項１６】
流路を形成し、上部の少なくとも一部が開口となった側溝本体の前記開口に設置される蓋であって、前記開口に設置したときに、当該蓋の少なくとも一辺を形成する第１の側面と、それに対峙する前記側溝本体の開口側の第２の側面とにより、前記第１の側面の上端から下端に至る、断面が縦長の排水用の第１の空間が形成されるように、前記上端より下方で前記側溝本体の一部に対して当該蓋の位置を決める手段を有する蓋。
【請求項１７】
請求項１６において、前記第１および第２の側面の上端の距離が６ｍｍ〜３０ｍｍ程度の前記排水用の第１の空間を形成可能な蓋。
【請求項１８】
請求項１６において、前記第１および第２の側面の上端の距離が１０ｍｍ〜２０ｍｍ程度の前記排水用の第１の空間を形成可能な蓋。
【請求項１９】
請求項１６において、表面に前記排水用の第１の空間に沿った溝が形成されている蓋。
【請求項２０】
請求項１６において、当該側溝の長手方向に沿って前記排水用の第１の空間を形成可能であり、当該蓋の上端の幅が、前記開口の幅よりも１０ｍｍ〜３０ｍｍ程度狭い蓋。
【請求項２１】
請求項１６において、当該側溝の長手方向に沿って前記排水用の第１の空間を形成可能であり、前記蓋の上端の幅が、前記開口の幅よりも１０ｍｍ〜２０ｍｍ程度狭い蓋。
【請求項２２】
請求項１６において、前記排水用の第１の空間を、当該側溝の長手方向の両側に形成可能であり、前記蓋の上端の幅が、前記開口の幅よりも１０ｍｍ〜６０ｍｍ程度狭い蓋。
【請求項２３】
請求項１６において、前記第１の側面の傾斜は、前記第２の側面の傾斜と異なっており、上端の幅より下端の幅が広い前記排水用の第１の空間を形成可能な蓋。
【請求項２４】
請求項１６において、前記第１の側面の下方の一部に、前記排水用の第１の空間から前記流路に排水可能な切り欠きを有する蓋。
【請求項２５】
請求項１６において、前記側溝の長手方向および／または幅方向に前記排水用の第１の空間を形成可能な蓋。
【請求項２６】
請求項１６において、裏面に前記排水用の第１の空間から内側に向かってほぼ垂直に延びた溝を有する蓋。
【請求項２７】
請求項１６において、当該蓋を前記開口に設置したときに、当該蓋の少なくとも他の一辺を形成する第３の側面と、それに対峙する他の前記蓋の第４の側面とにより、前記第３の側面の上端から下端に至る、断面が縦長の排水用の第２の空間が形成されるように、前記上端より下方で当該蓋同士の位置を決める手段を有する蓋。
【請求項２８】
請求項１６において、前記蓋の位置を決める手段は、前記第１の側面の上端より下側から前記第２の側面に向かって突き出た横突起である蓋。
【請求項２９】
請求項２８において、前記横突起の突き出た長さは、前記横突起の上部から前記第１の側面の上端の距離よりも短い蓋。
【請求項３０】
請求項２８において、前記横突起は、両端が前記第２の側面の方が狭くなったテーパ状の横突起である蓋。
【請求項３１】
請求項２８において、前記横突起は、前記第１の側面に埋め込まれたインサートに取り付けられたスペーサである蓋。
【請求項３２】
請求項１６において、前記蓋の位置を決める手段は、前記蓋を前記側溝本体の蓋支持部に載せたときに、その蓋支持部の少なくとも一部に係る係合部である蓋。
【請求項３３】
請求項３２において、前記係合部は、前記蓋を前記側溝本体の蓋支持部に載せたときに、前記蓋の下面の少なくとも一部が前記側溝本体の蓋支持部よりも下になるように下方に突き出た段差部である蓋。
【請求項３４】
請求項３２において、前記係合部は、前記側溝本体の蓋支持部に設けられた凹部または凸部と噛み合う凸部または凹部である蓋。
【請求項３５】
請求項３２において、前記係合部は、前記側溝本体の幅方向に設けられた第１および第２の前記蓋支持部に係る第１の係合部と第２の係合部とを備えており、これら第１および第２の係合部は非対称な配置となっている蓋。
【請求項３６】
請求項３２において、前記係合部は、前記蓋の裏面から下方に斜めまたは湾曲しながら突き出た下突起を備えており、
その下突起の斜め側方が、前記側溝本体の蓋支持部の内側に設けられた傾斜また湾曲した支持面と当たる蓋。
【請求項３７】
請求項３６において、前記下突起は、前記蓋の両縁に沿って縁からの距離が非対称な位置に２列に形成されている蓋。
【請求項３８】
請求項３７において、前記蓋の中央部分の厚みが、蓋の両縁部分の厚みと同じまたは小さい蓋。
【請求項３９】
流路を形成し、上部の少なくとも一部が開口となった側溝本体の前記開口に設置される蓋であって、
前記蓋を前記側溝本体の蓋支持部に載せたときに、前記側溝本体の幅方向に設けられた第１および第２の前記蓋支持部の少なくとも一部にそれぞれ係る第１および第２の係合部を有し、これら第１および第２の係合部は非対称な配置となっている蓋。
【請求項４０】
請求項３９において、前記蓋の中央部分の厚みが、蓋の両縁部分の厚みと同じまたは小さい蓋。
【請求項４１】
流路を形成し、上部の少なくとも一部が開口となった側溝本体の前記開口に設置される蓋であって、
前記開口に設置したときに、当該蓋の少なくとも一辺を形成する第１の側面と、それに対峙する前記側溝本体の開口側の第２の側面とにより、前記第１の側面の上端から下端に至る、断面が縦長の排水用の第１の空間が形成されるように、前記側溝本体の蓋支持部の少なくとも一部に係る係合部を有する蓋。
【請求項４２】
流路を形成し、上部の少なくとも一部が開口となった側溝本体の前記開口に設置される蓋であって、
当該蓋を前記開口に設置したときに、当該蓋の少なくとも一辺を形成する第３の側面と、それに対峙する他の前記蓋の第４の側面とにより、前記第３の側面の上端から下端に至る、断面が縦長の排水用の第２の空間が形成されるように、前記上端より下方で当該蓋同士の位置を決める手段を有する蓋。
【請求項４３】
請求項１６ないし４２のいずれかに記載の蓋と、その蓋が設置される前記開口を備えた側溝本体とを有する側溝。
【発明の詳細な説明】
【０００１】
【発明の属する技術分野】
本発明は、側溝およびその開口に設置される蓋に関するものである。
【０００２】
【従来の技術】
道路に沿って施工される側溝の排水性を向上する技術が、特開平９−２９１５８５号公報、特開２０００−１２９７６７号公報、意匠登録第１１１９４５７号、および特開２００１−７３４４６号公報に記載されている。
【０００３】
【発明が解決しようとする課題】
特開平９−２９１５８５号公報、意匠登録第１１１９４５７号および特開２００１−７３４４６号公報には、側溝本体の開口に部分的に切り欠きを設けたり、側溝本体の開口に設置される蓋の縁に部分的に切り欠きを設けたりすることにより、開口に蓋をしたときに蓋と開口との境界に断続的な排水用の孔を形成している。側溝の上は、歩行者の通り道となることが多く、側溝に設けられる孔は歩行者が躓いたり、ハイヒールの踵が引っかかったりしない大きさであることが望ましい。したがって、蓋の脇に排水用の孔を設けても、その幅を広げることができず、排水効率はそれほど高くない。
【０００４】
これに対し、特開２０００−１２９７６７号公報では、開口と蓋の境界に、側溝の長手方向に沿って幅が短く、目のピッチの狭い細長いグレーチングを設置することが記載されている。この方法であると、蓋の長手方向に排水するのに十分な隙間を確保することができ、さらに、細目のグレーチングを設置することにより歩行者が躓くのを防止できる。しかしながら、コンクリート蓋の脇に細長いグレーチングを設置するために蓋の数が増え、費用的にはアップする。
【０００５】
そこで、本発明においては、低コストで、排水効率が高く、歩行者が躓いたりすることのない側溝を提供することを目的としている。
【０００６】
【課題を解決するための手段】
このため、本発明においては、側溝本体あるいは蓋に排水用の孔を開けたり、側溝の表面に現れるような切り欠きを設けるのではなく、側溝の開口と蓋とのクリアランスを意図的に広げるように蓋の位置を決める手段を蓋の側面の上端より下に設ける。これにより、側溝の表面には、開口と蓋の境界、すなわち、開口の縁（辺）と蓋の縁（辺）に沿って細長い排水用の開口（隙間あるいはギャップ）を設けることが可能となり、歩行の障害とならず、排水効率の高い側溝を提供することができる。このため、本発明の側溝は、流路を形成し、上部の少なくとも一部が開口となった側溝本体と、開口に設置される蓋とを有する側溝であって、蓋に、当該蓋を開口に設置したときに、蓋の少なくとも一辺を形成する第１の側面と、それに対峙する側溝本体の開口側の第２の側面とにより、第１および第２の側面の上端から、第１および第２の側面の下端に至る、断面が縦長の排水用の第１の空間が形成されるように、上端より下方で側溝本体の一部を基準として当該蓋の位置を決める手段を設ける。したがって、本発明の側溝においては、蓋を設置した状態で、側溝の表面から排水用の第１の空間を通って流路に排水される経路が形成される。
【０００７】
本発明の側溝においては、側溝本体の開口と蓋との隙間を意図的に排水に適した程度まで開けて排水用の隙間を形成する。そして、そのように開口と蓋とのクリアランスを制御する蓋の位置を決める手段を側面の上端、すなわち、側溝の表面より下に配置する。これにより、側溝の表面には、少なくとも蓋の一辺の全長に沿って細長い排水用の隙間が形成される。クリアランスが制御される蓋の一辺と、それに対峙する側溝の開口の一辺が直線的であれば、それらの間に蓋側の第１の側面の上端と、開口側の第２の側面の上端が平行に開き、蓋の第１の側面の上端の全長、および／または、開口の第２の側面の上端の全長に沿ってスリット状の第１の隙間が形成される。
【０００８】
すなわち、本発明においては、排水用の第１の空間を形成するための蓋の位置を決める手段は表面に現れないので、側溝の開口の縁に沿って幅は狭くても長さが充分にあるスリット状に細長い第１の隙間を形成することが可能となり、排水効率を高くできる。また、長さを確保できるので、排水口である第１の隙間の幅を狭くすることにより、そのままで歩行の障害にならない取水面積の広い排水口を形成できる。したがって、排水口をカバーするグレーチングなどは不要であり、低コストとなる。
【０００９】
そして、側溝の開口と蓋との間に形成される排水用の第１の隙間は、蓋の少なくとも一辺の全長に沿って細長く延びた形状となるので、外観はスマートであり、側溝に沿って細いスリット状の隙間が延びた斬新なイメージの側溝を施工することができる。また、蓋に沿って均等な細いスリット状の開口あるいは隙間が形成されるだけなので、歩行者の障害とならず、また、歩行者に対して躓くようなイメージを与えないで済む、排水効率の高い側溝を提供できる。
【００１０】
このため、本発明においては、流路を形成し、上部の少なくとも一部が開口となった側溝本体の開口に設置される蓋であって、開口に設置したときに、当該蓋の少なくとも一辺を形成する第１の側面と、それに対峙する側溝本体の開口側の第２の側面とにより、第１の側面の上端から下端に至る、断面が縦長の排水用の第１の空間が形成されるように、上端より下方で側溝本体の一部に対して当該蓋の位置を決める手段を有する蓋を提供する。この蓋であれば、既に施工済みの側溝であっても、その開口に設置することにより、開口あるいは蓋の一辺に沿って細く延びた排水用のスリット状の隙間を備えた側溝にすることができる。
【００１１】
従来から、側溝の開口は蓋の寸法よりも９ｍｍから１０ｍｍ程度大きく設計されており、製造型枠の誤差を吸収し、また、蓋が開けるためのクリアランスが確保できるようになっている。したがって、設計上は、開口に蓋を設置した状態で、蓋の周囲には平均で４〜５ｍｍの隙間があることになる。また、蓋と開口の支持部との間には隙間が発生するので、この隙間を通って雨水が側溝内部に排水されないことはない。しかしながら、実際は、その程度の隙間はすぐに泥などで詰まってしまい、排水に役立たないどころか、蓋を開けるのにも苦労する状態となる。逆に、その程度の隙間であると、すぐに泥や砂で埋まってしまうので、蓋の位置決めしなくても蓋ががたついたりすることはないし、多少、隣接する蓋でクリアランスが異なっていても差は小さいので外観上も問題はない。
【００１２】
これに対し、本発明においては、蓋と開口との間に排水用の第１の空間を確保するので、泥や砂で埋まらない程度の隙間を強制的に設けることが可能となる。さらに、歩行の障害にならないようにするために、幅が３０ｍｍ程度以下、さらに好ましくは２０ｍｍ程度以下の隙間が形成されるように第１の空間を設定することが可能となる。すなわち、排水用および歩行に適した第１の隙間を形成するためには、第１および第２の側面の上端の距離は６ｍｍ〜３０ｍｍ程度にすることが望ましく、第１および第２の側面の上端の距離を１０ｍｍ〜２０ｍｍ程度であることがさらに望ましい。また、蓋の上端の幅は、開口の幅よりも１０〜３０ｍｍ程度狭いことが望ましい、蓋の上端の幅は、開口の幅よりも１０〜２０ｍｍ程度狭いことがさらに望ましい。したがって、蓋の上端の幅は、開口の幅よりも１０〜３０ｍｍ程度狭くなり、両側に排水用の第１の空間を設ける蓋においては、１０〜６０ｍｍ程度狭くなる。
【００１３】
この程度の距離の隙間になると、蓋を無造作に配置したのでは、隣接する蓋で隙間の幅が異なり美観を損ねる。しかしながら、本発明においては、ストッパとなる、蓋の位置を決める手段を設けて、隙間を制御するので、そのようなこともない。一方、第１の空間の幅は、蓋を支持するように側溝本体の開口の第２の側面の下端から当該開口の内側に張り出した蓋支持部の幅の約１／２以下程度となるので、蓋と蓋支持部とが重なる距離（蓋掛りの距離）を充分に確保することができる。したがって、蓋を安定して開口に設置でき、蓋がずれたり、縁が欠けたりして側溝内に落ちたりする心配もない。
【００１４】
さらに、第１の側面の傾斜（勾配）と、第２の側面の傾斜（勾配）とを変えて、上端の幅より下端の幅が広い排水用の第１の空間を形成することができる。すなわち、第１の隙間に対して、その下方に広がる空間の幅を広げることができる。このような空間を形成すると、第１の隙間に入った砂利、砂、ごみなどは第１の隙間の下側の方の幅が広いので、隙間を通り抜けると、第１の空間に詰まることはなく、下方、すなわち、側溝内部に排出される。したがって、砂利、砂、ごみなどで排水口が詰まることのない信頼性の高い側溝を提供できる。さらに、第１の隙間が小さくてもその下に広がる空間が広く、排水効率の高い側溝を提供できる。
【００１５】
蓋の位置を決める手段の一つの形態は、第１の側面の下側から第２の側面に向かって突き出た突起（横突起）である。この突起は、コンクリートで蓋と一体に成形しても良いし、第１の側面にインサートを埋め込んで突起となるスペーサをインサートに取り付けるようにしても良い。横突起の突き出た長さは、横突起の上部から第１の側面の上端の距離よりも短くし、横突起の上部にも縦長の空間が形成されるようにすることが望ましい。排水効率を向上するためには、排水用の空間の断面積を広げる必要があるが、横突起を長くすると蓋と側溝本体との間に形成される第１の隙間が広がってしまい、歩行の安全性が低下する。そこで、横突起を側面の上端より下げて、あるいは横突起の張り出しを小さくすることにより、横突起の上方にも縦長の空間を形成して排水効率をアップする。
【００１６】
さらに、横突起は第１の空間を確保するためのものであり、蓋としての強度や、開口の蓋支持部に載せる面積を確保するための機能はほとんどない。したがって、突起を、両端が第２の側面の方が狭くなったテーパ状の横突起にすることにより、横突起の側方に縦（垂直方向）に排水が流れる面積を大きくすることができ、排水効率を向上できる。
【００１７】
蓋の位置を決める手段の他の一つの形態は、蓋を側溝本体の蓋支持部に載せたときに、その蓋支持部の少なくとも一部に係る係合部である。この方法は、蓋の側面からの突起を省くことができる。したがって、スリット（第１の隙間）の見栄えが向上し、なおかつ取水効率も向上する。係合部の１つの形態は、蓋を側溝本体の蓋支持部に載せたときに、蓋の下面の少なくとも一部が側溝本体の蓋支持部よりも下になるように下方に突き出た段差部である。また、係合部の他の１つの形態は、側溝本体の蓋支持部に設けられた凹部または凸部と噛み合う凸部または凹部である。排水用の第１の空間は、蓋の片側の辺に沿って設けることも可能であり、蓋の両側の辺に沿って設けることも可能である。蓋の片側の辺に沿って排水用の第１の空間を設ける場合、係合部は、側溝本体の幅方向に設けられた第１および第２の蓋支持部に係る第１の係合部と第２の係合部とを備えており、これら第１および第２の係合部は非対称な配置となる。
【００１８】
また、係合部を形成するために、蓋の裏面から下方に斜めまたは湾曲しながら突き出た下突起を設けることも有効である。そして、側溝本体の蓋支持部の内側には、下突起の斜め側方と当たるように傾斜また湾曲した支持面を形成する。本発明においては、蓋と側溝本体との隙間を積極的に制御して排水用に十分ではあるが、歩行の障害にならないような隙間を形成する。したがって、隙間を精度良く制御するためには、蓋を側溝本体に精度良く嵌める必要があるが、そのためには、蓋と側溝本体の開口との製造上の公差を小さくする必要がある。しかしながら、コンクリート製品において公差を小さくしすぎると、製造誤差により、たとえば、蓋が開口に嵌らなくなる恐れがある。すなわち、蓋の底の張り出し部（下突起）の外寸法と、側溝の内径寸法との間でクリアランスがないと蓋を敷設しにくい。蓋がどうにか嵌ったとしても、嵌めあいがきつくなって蓋が取れなくなる可能性がある。さらに、クリアランスがないと、蓋を敷設する際に、蓋の張り出し部と側溝の内壁と接触して、蓋の張り出し部が角欠けするという問題もある。
【００１９】
一方、公差あるいはクリアランスを大きくすると、蓋の位置が決まらず、がたつきが大きくなり、第１の空間の幅（第１の隙間の幅）に統一性がなくなり、部分的に歩行の障害となったり、デザインの統一性がなくなる。
【００２０】
これに対し、斜めまたは湾曲しながら突き出た下突起を採用し、張り出し部の外側を下側に向かって縮小するような傾斜（斜面）または湾曲した面取りにする。さらに、蓋支持部の内側の面も、下側に向かって縮小するような傾斜（斜面）または湾曲した支持面とする。この支持面で、下突起の斜め側方を受けるようにすると、製造公差を大きくしても、かならず下突起は支持面にあたり、多少の誤差は生ずるとしても蓋の位置は決まる。この傾斜した面あるいは湾曲した面（面取り）は１０〜３０ｍｍ程度あれば十分であり、その程度の厚みがあれば角欠けなどの心配も少なくなる。さらに、水平な蓋支持部を残すことにより、グレーチングを敷設する際にも支障がなくなる。
【００２１】
このように、斜面あるいは湾曲した下突起と、斜面あるいは湾曲した支持面の組み合わせで蓋を支持することにより、蓋を下ろしたときに接触しても角欠けが発生する恐れはほとんどなくなる。そして、クリアランスを設けなくても、側溝本体の所定の位置に蓋が収まる。さらに、下突起と支持面が当たる部分は、ほぼ線または点になるので、下突起と支持面が当たっても着脱の障害にならない。さらにがたつきがなくなるので、騒音の防止効果もある。このため、設計公差も小さくすることも可能となる。そして、幅に統一性がある第１の空間の幅（第１の隙間の幅）を容易に形成することができ、歩行の障害にならず、デザインの統一性のある側溝を提供できる。
【００２２】
開口あるいは蓋の一方の縁に沿って第１の空間（第１の隙間）を形成する蓋は、下突起が、蓋の両縁に沿って縁からの距離が非対称な位置に２列に形成される。また、下突起を２列に形成することにより、蓋の中央部分の厚みを必要以上に大きくしないですむという効果もある。すなわち、ストッパとして蓋の下側に下突起を張り出させてある程度の強度を維持するには、少なくとも１０ｍｍ程度の張り出しは必要となる。したがって、蓋全体が厚くなり、不経済な蓋となる。これに対し、２列の下突起を形成することにより、蓋の中央部分の厚みを、蓋の両縁部分の厚みと同じまたは小さくすることができる。中央部分の厚みが小さい蓋は、歩道専用などの荷重条件の小さい領域の側溝に適している。
【００２３】
このような斜面あるいは湾曲した下突起と支持面との組み合わせ、さらには、下突起を２列に設ける構成は、蓋あるいは開口に沿って排水用の空間を設ける方法として有効であるが、通常の側溝においても有効である。この側溝および蓋あるいは側溝用ブロックを採用することにより、開口に沿って排水用の隙間を設けない側溝においても、開口に敷設される蓋のアライメントを直線にし易く、見栄えのよい側溝を施工できる。さらに、がたつきがないので、騒音防止効果も良い。そして、そのために蓋の重量の増加はほとんどないので、経済的に、騒音防止効果の高い側溝を施工できる。
【００２４】
上述したように、排水用の第１の空間は、側溝の長手方向に沿って形成することができ、側溝の長手方向の片側または両側に形成できる。その場合、第１の空間の下方は、側溝本体から開口の下側に突き出て蓋を支持する蓋支持部に面することになる。したがって、蓋の第１の側面の下方の一部および／または第２の側面の下方に位置する蓋支持部の一部を切り欠いて排水用の第１の空間から流路に排水される経路を形成することが望ましい。この切り欠きは、側溝の表面には直に現れないので、断続的に開口面積の大きなものを形成することができ、蓋を蓋支持部から支持するのに支障のないデザインにすることができる。また、蓋の表面に、排水用の第１の空間に沿った溝を形成することにより、雨量が多いときなどに排水用の第１の空間に流れる雨水を集合させ、さらに排水効率の高い側溝を提供できる。
【００２５】
さらに、開渠と暗渠が交互に存在し、暗渠部の断面が門形あるいはＭ字型をした自由勾配側溝や、暗渠部の断面が四角のカルバートタイプの側溝であると、開口の幅方向に延びた側面に沿って、幅方向に排水用の第１の空間を形成することできる。さらには、長手方向に並んだ蓋同士の間に、幅方向に延びた排水用の第２の空間を形成することも可能であり、断面がＵ字型の開渠型の側溝においても、長手方向および／または幅方向に延びた排水用の隙間を作ることができる。すなわち、蓋を開口に設置したときに、当該蓋の少なくとも他の一辺を形成する第３の側面と、それに対峙する他の蓋の第４の側面とにより、第３および第４の側面の上端から、第３および第４の側面の下端に至る、断面が縦長の排水用の第２の空間が形成されるように、上端より下方で当該蓋同士の位置を決める手段を有する蓋を提供することが可能である。これにより、蓋同士の間にも、上述した排水用の第１の空間と同様の第２の空間を形成でき、蓋同士の間の、向かい合う側面の上端の全長に沿って、スリット状に細長く延びた第２の隙間を形成できる。
【００２６】
したがって、本発明を適用することにより、蓋に沿った細長いスリット状の隙間を除いて側溝の開口が蓋により覆われた側溝であって、排水効率の高い側溝を提供できる。蓋を取り外すときに手を掛ける切欠き（手掛け）を設けることはもちろん可能であり、その場合は、手掛けようの切り欠きも排水口として利用できる。一方、有効な手掛けの幅は２０ｍｍ程度以上、望ましくは幅３０ｍｍ程度以上であり、歩行者が躓く要因になる可能性がある。したがって、手掛けとなる切り欠きを省くことが望ましい。その場合は、蓋の裏面に手を回すことが不可能になるが、蓋の一辺に沿って排水用の第１の空間が設けられているので、そこに適当な道具を入れて蓋を取り外すことができる。そのような道具が蓋の裏面を滑ったりしないように、蓋の裏面に排水用の第１の空間からほぼ垂直に延びた溝を形成しておくことが望ましい。
【００２７】
【発明の実施の形態】
（第１の実施の形態）
以下に図面を参照して、本発明の実施の形態について説明する。図１に、本発明に係る側溝を上方から見た様子を示してある。この側溝１ａは、道路あるいは車道２の脇に沿って施工されており、車道２と民地３との境界を形成し、側溝１ａの上は歩道４としても利用される。図２（ａ）に断面を示すように、本例の側溝１ａは、断面が略Ｕ字型で上方が開口１１となったＵ字型側溝と称されるものであり、２ｍあるいは４ｍの長さの工場プレハブされたコンクリート製の側溝用ブロック（側溝本体）１０ａを埋設することにより施工される。すなわち、車道２と民地３との境界部分を掘削し、基礎コンクリート９を施工した後に、内部が流路１３となった側溝用ブロック１０ａを埋設することにより、道路２と民地３との境界に雨水などを排水するための側溝１ａが施工される。
【００２８】
側溝用ブロック１０ａの開口１１は、通常は、コンクリート製の蓋２０ａを設置することにより塞がれており、流路１３に溜まった泥や落ち葉などを除去するときに蓋２０ａが開けら得る。このため、蓋２０ａには、蓋２０ａに手やジグを掛けて持ち上げるための切り欠き２９が設けられている。道路２は、側溝１ａに向かって傾斜しており、雨水排水などは側溝１ａに向かって流れる。そして、排水５は、蓋同士の隙間や、取手用の切り欠き２９を介して側溝内部の流路に流れ込む。しかしながら、側溝１ａの上が歩道４としても利用されることを考えると、取手用の切り欠き２９はできるだけ小さいことが望ましく、排水効率を確保できにくい状況にある。また、蓋２０ａと蓋２０ａの間を偶然通過する排水５は、蓋同士の隙間や、取手または手掛け用の切り欠き２９から流路１３に流すことが可能である。しかしながら、蓋２０ａの上を通過する排水５は、従来であると、流路１３に導く手段がないので、そのまま流れて民地３や歩道４に水溜りを作る要因なっていた。また、雨量が多い場合は、取手用の切り欠き２９では、排水面積が不足するために側溝１ａに排水されず、道路２が排水溝となって泥水が流れる事態が発生することもよくある。
【００２９】
本例の側溝１ａでは、側溝用ブロック１０ａの開口１１と蓋２０ａとのクリアランスを意図的に広げて、所定の空間３１を確保し、側溝１ａの長手方向Ｘの全体にわたり排水用の空間３１を形成している。そのため、蓋２０ａに、その蓋２０ａを側溝本体１０ａの開口１１に設置したときに側溝本体１０ａに対して、排水に十分な空間３１が確保されるように位置を決める手段が設けられている。
【００３０】
図３に、本例の蓋２０ａの概要を示してある。蓋２０ａはコンクリート製で、上方から見た形状は長方形で、蓋２０ａを側溝用ブロック１０ａの開口１１に設置したときに、側溝１ａの長手方向、すなわち、方向Ｘに延びた一辺２２を形成する側面２１を備えている。したがって、側面２１の上端２１ｔが長手方向に延びた一辺２２を形成する。さらに、蓋２０ａは側面２１に対峙する側溝本体１０ａの開口１１の側の側面（第２の側面）１５に向かって、側面２１の下方から横あるいは水平方向に突き出た突起（横突起）５１を備えている。したがって、図２（ｂ）に拡大して示すように、蓋２０ａを、側溝用ブロック１０ａの開口１１の蓋支持部１９に搭載すると、蓋２０ａの側面２１の下方から突き出た突起５１がスペーサとなって側溝用ブロック１０ａの開口１１の側面１５に当たり、側溝１ａの長手方向Ｘに沿って、蓋２０ａの側面２１の上端２１ｔと、開口１１の側面１５の上端１５ｔが平行に開いた空間３１が形成される。
【００３１】
この空間３１は、蓋２０ａの側面２１の上端２１ｔおよび開口１１の側面１５の上端１５ｔから、これらの側面２１および１５に沿って下端となる開口１１の蓋支持部１９に至る、断面が縦長の排水用の隙間となる。すなわち、空間３１の幅ｗに対して、高さあるいは深さｔが大きな空間となる。そして、蓋２０ａの位置を決めて空間３１を形成する突起５１は、側面２１の下側に設けられ、スペーサである突起５１は、蓋２０ａの表面２３には表れない。したがって、蓋２０ａの側面２１の上端２１ｔおよび開口１１の側面１５の上端１５ｔにより形成される空間３１により開いた排水用の開口（本明細書では、側溝用ブロックの開口と区別するために隙間と称する）３１ａは開口１１の長手方向Ｘの全長にわたり連続した隙間（第１の隙間）となり、蓋２０ａを横切って流れる排水５は、蓋２０ａの全長にわたって延びた空間３１により流路１３に流し込むことができる。
【００３２】
図２（ｃ）に示すように、横突起５１が側面２１から横方向に突き出た長さＬ２は、側面２１の上端２１ｔから横突起５１までの距離Ｌ１より小さくなっている。横突起５１の上にも排水用の空間３４が形成され、それが側溝１ａの表面には隙間３１となって現れるので、横突起５１があっても、蓋２０ａあるいは開口１１の縁に沿って延びたスリット状の隙間３１ａが形成される。さらに、横突起５１の上の空間３４も縦長になっているので、幅Ｌ２は狭くても排水が流れ込む容積は大きな空間３４を形成することができ、歩行の障害にならずに、排水効率の高い隙間３１ａを蓋に沿って形成することができる。すなわち、排水効率を向上するためには、排水用の空間３１の断面積を広げる必要があるが、横突起５１を長くすると蓋２０ａと側溝本体１０ａとの間に形成される第１の隙間３１ａが広がってしまい、歩行の安全性が低下する。そこで、横突起５１を側面の上端１５ｔおよび２１ｔより下げて、さらに、横突起５１の張り出しを小さくすることにより、横突起５１の上方にも縦長の空間３４を形成して排水効率をアップしている。
【００３３】
さらに、横突起５１は第１の空間３１を確保するためのものであり、蓋２０ａとしての強度や、開口１１の蓋支持部１９に載せる強度を確保するための機能は基本的にはない。したがって、図３（ａ）に示すように、横突起５１の両端５１ｒが先端５１ｔ、すなわち、開口１１の側面１５に向いた方が狭くなったテーパ状の横突起にすることにより、横突起５１を上から見たときの面積が小さくなるようにしている。これにより、横突起５１を上から見たときの側方に縦（垂直方向）に排水が流れる面積を大きくすることができ、排水効率を向上できる。
【００３４】
図４に、本例の側溝１ａを施工するための側溝用ブロック１０ａを上方から見た様子を示してある。この側溝用ブロック１０ａはコンクリート製で、長手方向Ｘに延びた開口１１の幅方向の両脇には、蓋２０ａを支持するために開口１１の側が一段低くなった段差状の蓋支持部１９が形成されており、その蓋支持部１９には、断続的に蓋支持部１９の階段状の部分が内側に傾斜した複数の切り欠き１８が設けられている。したがって、図２（ｂ）に示すように、空間３１に流れ込んだ雨水５は、蓋支持部１９の切り欠き１８を通って側溝内部の流路１３に排水される。
【００３５】
このように、本例の側溝１ａにおいては、蓋２０ａを開口１１に設置すると、蓋２０ａおよび開口１１の全長に沿って、縦長の断面の空間３１が形成される。すなわち、蓋２０ａの位置を決める突起５１は、蓋２０ａの側面２１の上端２１ｔより下に設けられているので、側溝１ａの上を歩道４としたときに、その表面には、開口１１の縁（辺）１５ｔと蓋２０ａの縁（辺）２１ｔに沿って細長い排水用の隙間３１ａが形成される。さらに言うと、本例の側溝１ａにおいては、開口１１の上端（縁、辺）１５ｔと蓋２０ａの上端（縁、辺）２１ｔと間を意図的に開けて、開口１１の上端１５ｔと蓋２０ａの上端２１ｔとが直線に延びているので、開口１１の上端１５ｔと蓋２０ａの上端２１ｔとが平行に開き、スリット状の排水用の隙間３１ａが形成される。したがって、歩行の障害とならず、排水効率の高い側溝を提供することができる。たとえば、開口１１の側面１５の上端１５ｔと、蓋２０ａの側面２１の上端２１ｔとの間を１５ｍｍ程度開けるとすると、長さ２ｍの側溝用ブロック１０ａ毎に、幅が１５ｍｍで、長さが２ｍの隙間３１ａが表面（上面）に開いた空間３１を排水のために設けることができる。この隙間３１ａの面積と同等の面積を長手方向Ｘとは垂直な方向に用意しようとすると、蓋２０ａと蓋２０ａとの隙間を８〜１０ｃｍ程度開けたことに相当し、通常の雨により発生する雨水５を側溝１ａに排水するのに十分な開口面積を、側溝１ａの長手方向に確保することができる。
【００３６】
したがって、上述したように、蓋２０ａの表面２３を通過した雨水５であっても空間３１で排水できるので、民地３に雨水が流れこむことを防止できる。さらに、蓋２０ａと蓋２０ａとの間を８〜１０ｃｍ程度開けるのと同じ排水用の面積を長手方向Ｘに沿った幅１５ｍｍ程度の隙間３１ａで確保できる。この程度の幅の隙間３１ａであれば、ハイヒールの踵を落としたり、隙間３１ａに躓くことはなく、さらに、スリット状の隙間３１ａが歩道４の長手方向Ｘに延びているので、それにつま先を落として躓くようなこともない。したがって、排水するのに十分な開口面積を、グレーチングなどの落ち込み防止用のカバーを設置しなくても確保できる。したがって、低コストであり、グレーチングを設置し忘れて歩行の障害になったり、短いグレーチングが車により跳ね上げられて危険な事態になるのも未然に防止できる。
【００３７】
さらに、側溝１ａの長手方向に沿って開口１１あるいは蓋２０ａの全長にわたり延びたスリット状の空間３１あるいは隙間３１ａは、道路２のデザインとしても優れている。従来の、道路２あるいは側溝１ａの長手方向Ｘに沿って断続的に排水用の開口が設けられたデザインであると、その開口は断続的に目に入るので、非常に目立つものとなり、たとえ幅が狭くても、歩行の障害になるような歩行者に不安感を与える。これに対し、本例の排水用の隙間３１ａは、蓋２０ａが施された側溝１ａの開口１１の全長にわたり、スリット状に連続して延びている。したがって、本例の排水用の隙間３１ａは、歩行者の目にとまり難く、歩行者が不快感あるいは不安感を抱く要因となることはない。逆に、隙間３１ａが歩行者の目に留まるとすると、蓋２０ａの全長に沿って、直線的な模様として捉えられるので、側溝１ａ、特に側溝１ａの開口１１をスマートに感じさせることになり、歩行の邪魔になりにくい印象を与える。
【００３８】
特に、図１に示した断面がＵ字型の側溝１ａにおいては、側溝１ａの全長にわたり蓋２０ａが搭載されるので、側溝１ａの全長にわたり、細いスリット状の隙間３１ａが形成される。したがって、側溝１ａが道路２に沿って細長く延びた印象が強調されることになり、スマートな、あるいは、側溝１ａがさらに細長く延びた、すっきりと明確な路肩を備えた印象を与える道路２を施工することができる。
【００３９】
このように、本例の側溝１においては、蓋２０を搭載することにより、隙間３１ａの幅は歩行の障害とならないように狭く形成できる一方、隙間３１ａに続く空間３１の下方は歩行者に対し影響を与えないので、空間３１の幅を広く確保することも可能である。しかしながら、空間３１の幅を広く確保しすぎると、蓋支持部１９との重なり合いが狭くなり、蓋２０を支持する強度が低下し、特に、車道２との境界に施工する側溝１においては好ましくない。したがって、空間３１は、上方の隙間３１ａに対して若干下方が広がったとしても、空間３１の断面は縦長なものとなる。しかしながら、空間３１の下方は広げることが可能なので、その部分、すなわち、側面２１の上端２１ｔより下に空間３１および隙間３１ａの幅を確保する突起５１を形成しても、空間３１の排水能力を減じない程度の排水路を確保することができる。
【００４０】
空間３１の排水路としての面積を確保する点では、スペーサである突起５１が占める部分は小さいことが望ましい。したがって、本例では、側面２１の下方に小型の突起５１を２つ形成している。突起５１の数は１つであっても良いが、この場合は、開口１１の内部で蓋２０が長手方向に傾いたり、偏心して空間３１の幅が変わらないように、側面２１の中央に配置することが望ましい。多くのケースでは、側溝１の開口１１は蓋２０でほぼ埋まるので、蓋同士により長手方向の姿勢は安定するので、蓋２０の側面２１の中央に突起５１が配置されていないような場合でも、蓋２０で開口１１の全体をカバーすると蓋２０の姿勢は安定し、空間３１の幅も安定する。
【００４１】
また、本例の側溝１ａでは、側溝用ブロック１０ａの蓋支持部１９に排水用の切り欠き１８を設けているが、同様の切り欠きは蓋２０の裏面２４に形成することも可能であり、このような蓋であれば、既に埋設済みのＵ字型の側溝に蓋を取り付けるだけで、蓋の全長に沿って長手方向に延びた上記と同様の空間３１および隙間３１ａを形成することが可能である。したがって、本発明の応用範囲は非常に広い。この例については、以下でさらに説明する。
【００４２】
蓋の周囲に平均で４〜５ｍｍの隙間が設けられた状態では、すぐに泥などで詰まってしまい、排水に役立たない可能性が高い。また、その程度の隙間であると、泥や砂利で埋まりやすいので蓋のがたつきや偏心を防止するという発想はない。したがって、本例の側溝１ａにおいては、排水用の空間３１の（隙間３１ａ）幅ｗ、すなわち、開口１１の側壁１５の上端１５ｔと蓋２０の側壁２１の上端２１ｔとの距離ｗが６ｍｍ〜３０ｍｍ程度となるように突起５１のサイズを設計している。この隙間３１ａの幅ｗは、排水効率をアップし、歩行者がさらに躓き難くするには１０ｍｍ〜２０ｍｍ程度にすることが望ましい。したがって、蓋２０の表面２３の幅Ｗ２は、開口１１の幅Ｗ１よりも１０〜３０ｍｍ程度狭いことが望ましく、１０〜２０ｍｍ程度狭いことがさらに望ましい。以下の各例においても同様である。
【００４３】
また、隙間３１ａの幅ｗを１０ｍｍ〜２０ｍｍ程度にすると、図２（ｃ）に示すように、側溝本体１０ａの蓋支持部１９の幅ｗ３が４５〜５０ｍｍ程度あるいはそれ以上であるので、蓋２０ａが蓋支持部１９に乗る幅Ｌ３、あるいは重なる幅Ｌ３を蓋支持部１９の幅ｗ３の半分以上にすることができる。すなわち、空間３１の幅ｗが蓋支持部１９の幅ｗ３の半分以下になる。このようなサイズにすると、蓋２０ａと支持部１９との重なる幅も充分に確保でき、蓋２０ａを安定して開口１１に設置できる。
【００４４】
（第２の実施の形態）
図５に、本発明の異なる例を示してある。本例の側溝１ｂも、図６（ａ）に断面を示すようにＵ字型のコンクリート製の側溝であり、図４に示した側溝用ブロック１０ａを埋設することにより施工される。以降の実施の形態においても同様であるが、先に説明した実施の形態と共通する部分については同じ番号を付して説明を省略する。
【００４５】
図７に、本例の側溝１ｂに設置された蓋２０ｂを示してある。この蓋２０ｂはコンクリート製で、裏面２４の中央部分２４ａが、側溝用ブロック１０ａの蓋支持部１９より下方に突き出ることにより、裏面２４に蓋支持部２９と係合する段差部５２ａおよび５２ｂが形成されている。すなわち、蓋の裏面２４の中央部分２４ａに下方に突き出た下突起６５が形成され、それにより段差部が形成されている。そして、一方の段差部５２ａと一方の側面２１と距離ｄ１と、他方の段差部５２ｂと他方の側面２５との距離ｄ２とは異なっており、距離ｄ１が距離ｄ２よりも短くなっている。すなわち、段差部５２ａと段差部５２ｂとは非対称な配置となっている。
【００４６】
このため、段差部５２ａおよび５２ｂが側溝用ブロック１０ａの開口１１の蓋支持部１９の内側の段差と係合し、蓋２０ｂの位置が決まると、図６（ｂ）に示すように、蓋２０ｂの側面２１と開口１１の側面１５との間に断面が縦長の空間３１が形成される。そして、上述した側溝１ａと同様に、蓋２０の一辺２２を構成する側面２１の上端２１ｔと、開口１１の側面１５の上端１５ｔとは平行に、側溝１ｂの長手方向Ｘに直線的に延びているので、側溝１ａの長手方向Ｘに蓋２０ｂの辺２２の全長に沿ってスリット状の排水用の隙間３１ａが形成される。この隙間３１ａは、側溝１ｂの開口１１の長手方向Ｘの全長に沿って形成され、さらに、本例の側溝１ａはＵ字型側溝であるので、側溝１ｂの長手方向Ｘの全長に沿って形成される。
【００４７】
さらに、本例の側溝１ｂでは、蓋２０ｂの位置を決める手段である段差部５２ａおよび５２ｂが蓋２０ｂの裏面２４の一部２４ａが下に延びて下突起６５が形成されることで構成されている。このため、蓋２０ｂの位置を決める手段は、排水用の空間３１の中にはなく、スリット状の隙間３１ａからも見えない。したがって、狭い空間３１でさらに大きな排水路を確保することが可能となり、さらに排水効率の良い側溝１ｂを提供できる。また、上方から隙間３１ａを見たときに、内部に突起は見えず、デザイン的には隙間３１ａの内部の凹凸も見えずに歩きやすくスマートなイメージを与える側溝１ｂを提供できる。
【００４８】
（第３の実施の形態）
図８に、本発明のさらに異なる例を示してある。本例の側溝１ｃは、図９に断面を示すように断面が門型あるいはＭ型の側溝用ブロック１０ｃを埋設することにより製造された側溝である。この側溝用ブロック１０ｃは、自由勾配側溝とも称されるものであり、図９に示すように、下方１７が開放されており、基礎コンクリート９の上に設置し、さらに、現場でインバートコンクリート８を打設することにより側溝１ｃの底を形成し、側溝１ｃの内部に流路１３を構成する。側溝用ブロック１０ｃの上面は、中央が、開口１１を備えた開渠となり、その両側はスラブ１２が形成された暗渠となっている。したがって、Ｕ字型の側溝と比較すると上部の強度が高い側溝を施工することが可能であり、大型車両の通行が多い車道２に沿って側溝１ｃを施工するのに適している。
【００４９】
図１０に、本例のコンクリート製の側溝用ブロック１０ｃを上方から見た様子を示してある。長手方向Ｘの中央の１ｃに設けられた開口１１の蓋支持部（蓋受けあるいは蓋掛り）１９に、排水用の切り欠き１８を２つ設けてある。したがって、図８および図９に示すように、図３を参照しながら第１の実施の形態において説明した蓋２０ａを開口１１に設置することにより、開口１１の縁１５ｔの全線に沿って細長いスリット状の隙間３１ａが形成される。そして、開口１１の側面１５と、蓋２０ａの側面２１との間に、隙間３１ａに続く縦長の空間３１が形成される。その結果、側溝１ｃの表面に現れた、開口１１あるいは蓋２０ａの長手方向の全長に沿った隙間３１ａから、空間３１を通り、さらに、蓋支持部１９の切り欠き１８を通って流路１３につながる排水経路が構成される。
【００５０】
本例の側溝１ｃにおいても、開口１１の全長に沿って排水用の隙間３１ａおよび空間３１が形成されるので、その幅ｗが狭くても雨水を排水するのに十分な開口面積を確保できる。そして、幅ｗが狭いので、グレーチングも不要である。また、幅ｗの狭い隙間３１ａが長手方向Ｘに延びているだけであり、側溝１ｃの上を歩道４として利用する場合は、長手方向Ｘが歩く方向となることを考えると、排水用の隙間３１ａを設けても、歩く方向に邪魔になる可能性のある凹凸が形成されず、躓きにくく、歩行者にやさしい側溝１ｃを施工できる。また、蓋２０ａを横切って道路２から民地３に流れる排水５は、隙間３１ａを横切ることになり、空間３１を通って側溝１ｃの内部に排水される。したがって、民地３に道路２から排水５が漏れこんで水たまりを作ったりする事態を少なくできる。このように、本例の側溝１ｃにおいて、上記にて説明した側溝と同様に排水効率が良く、歩行者にとって安全で、さらに、デザイン的に優れた側溝を提供できる。
【００５１】
また、蓋２０ａに代わり、図７を参照して説明した蓋２０ｂで、本例の側溝用ブロック１０ｃの開口１１をカバーしても同様のスリット状の隙間３１ａおよび空間３１を形成することができる。さらに、蓋の裏面に切り欠きを設けることにより空間３１を通って回収された排水を側溝１ｃの流路１３に排水する経路を構成することが可能であり、そのような蓋であれば、既に施工済みの自由勾配側溝用ブロックにより、本発明の隙間３１ａおよび空間３１を備えた側溝とすることができる。
【００５２】
（第４の実施の形態）
図１１に、本発明のさらに異なる例を示してある。本例の側溝１ｄは、図１２（ａ）に示すように、上記の側溝１ｃと同様に、断面が門型の側溝用ブロック１０ｄを埋設することにより製造された側溝である。この側溝用ブロック１０ｄは、図１４に示すように、全体の形状は図１０に示した側溝用ブロック１０ｃと同じであるが、暗渠のスラブ１２の部分に、長手方向Ｘに延びた浅い溝１４が形成されている。この溝１４は、幅が４０〜５０ｍｍ程度、深さが１０〜２０ｍｍ程度であり、外側の縁１４ａが開口１１の民地３の側の側面１５に一致するように形成されている。したがって、図１１に示すように、暗渠部１２においても、側溝１ｄの表面を流れる排水５は、溝１４を通って開口１１に回収される。このため、道路排水が民地３に流れ込むのをさらに効率良く防止できる。
【００５３】
図１３に、本例の蓋２０ｄを示してある。本例の蓋２０ｄはコンクリート製で、図３を参照しながら説明した蓋２０ａと同様に、開口１１に沿って空間３１を形成するための突起５１を備えている。さらに、蓋２０ｄの表面２３は、突起５１が形成された側面２１の側に、幅２０〜３０ｍｍ程度で、深さ（高さ）が１０〜２０ｍｍ程度の段差２６が形成されている。したがって、蓋２０ｄを側溝用ブロック１０ｄの開口１１に設置すると、開口１１の側面１５と、蓋２０ｄの段差部２６により開口１１の側面１５に沿って、ブロック１０ｄの暗渠部１２の溝１４につながる溝２７が形成される。そして、蓋２０ｄの側面２１の上端２１ｔは、溝２７の底面と同じ高さとなり、蓋２０ｄの側面２１と開口１１の側面１５とによる空間３１が溝２７の開口１１の側に溝２７の長手方向Ｘの全長に沿って形成される。
【００５４】
すなわち、本例の側溝１ｄは、暗渠部１２の溝１４と、開渠部１１の溝２７とにより、側溝１ｄの表面の長手方向Ｘの民地３の側に、側溝１ｄの全長に沿って浅い溝が形成される。さらに、開渠部１１においては、溝２７の民地側３に溝２７の全長に沿って排水用の隙間３１ａおよびそれに続く空間３１が形成される。したがって、道路２からの排水５は、開渠部１１においては、上記の側溝１ｃと同様に蓋２０と開口１１の長手方向Ｘに沿って延びたスリット状の隙間３１ａにより排水される。また、暗渠部１２においては、道路排水５が溝１４により回収され、溝１４を通って開渠部１１の溝２７に入り、スリット状の空間３１を介して流路１３に排水される。単に排水だけであれば、暗渠部１２の排水を溝１４で開口１１に集めて、図８に示したような開口１１の側面１５と蓋２０ａの側面２１との間の排水用の空間３１から排水するようにしても良い。本例では、蓋２０ｄの表面２３に段差２６を設けて、暗渠部１２の溝１４とつながるデザインとし、溝１４が側溝１ｄの長手方向Ｘに通ったデザインとしている。また、図１２（ｂ）に示すように、暗渠部１２の溝１４と、開渠部１１の蓋２０ｄにより形成された溝２７とを繋ぐことにより、溝１４から回収された排水５を溝２７に沿って排水用の隙間３１ａに導けるので、排水効率も改善される。
【００５５】
段差２６による溝２７と、その溝２７の中にスリット状の隙間３１ａを形成することができる蓋は、本例の突起５１を備えた蓋２０ｄに限られない。図６に示したように、蓋の裏面に非対称な下突起６５を設けても図１１と同様の溝１４、２７および排水用のスリット３１ａおよび溝３１を備えた側溝を提供できる。浅い溝１４および２７を備えた側溝１ｄは、歩行という点では、１０〜２０ｍｍ程度であるが段差があるので若干歩き難い。しかしながら、浅い溝１４が歩く方向に延びているだけなので、躓く可能性は低い。さらに、民地３に対して道路排水５が流れ出すのを効率よく防ぐことができるので、田畑などの民地３から一段高い道路２が形成された現場においては有効である。
【００５６】
（第５の実施の形態）
図１５に、本発明のさらに異なる例を示してある。本例の側溝１ｅは、図１６に断面を示すように、断面がＵ字型の側溝であり、図４に示した側溝用ブロック１０ａに、図１３に示した蓋２０ｄを搭載した側溝である。Ｕ字型の側溝においても、長手方向Ｘに延びた浅い溝２７と、その溝２７の内部に形成されたスリット状の隙間３１ａおよび空間３１を備えた側溝１ｅを提供できる。本例の側溝１ｅも、１０〜２０ｍｍ程度であるが、側溝１ｅの長手方向Ｘに段差があるので若干歩き難い。しかしながら、浅い溝１４により一端排水を受けてから排水用の空間３１に導かれるので、部分的に大量の排水５が発生したような場合は、浅い溝１４を通って長い距離のスリット状の空間３１に分散されて側溝の内部に排水される。したがって、よりスムーズに排水することができる。
【００５７】
上記の実施の形態でも同様であるが、側溝の内部に繋がった排水口まで地表から回収した排水５を導くために、溝１４および２７は深いことが望ましい。しかしながら、深くすると蓋２０ｄおよび暗渠部１２としての強度が不足する。したがって、溝１４および２７の幅を広げることになるが、浅いとはいえ、溝１４および２７の幅が広がると歩き難くなる。これに対し、まず、本例の蓋２０ｄでは、側面２１に沿って蓋支持部１９まで到達する隙間を設けることにより、蓋２０ｄの強度とは関係なく非常に深い排水用の空間３１を確保している。他の実施の形態においても同様である。したがって、幅を広げなくても十分な排水回収能力を備えた側溝を施工できる。
【００５８】
さらに、本例の側溝１ｅであると、溝２７の全長に沿って、すなわち、側溝１ｅの全長に沿って回収用の溝２７と、排水用のスリット状の空間３１が形成されている。また、上述した側溝１ｄであると、開口１１の全長に沿って空間３１が形成されている。したがって、側溝１ｄあるいは１ｅの表面に形成された回収用の溝１４または２７を介して排水５を流す際に、側溝内部に繋がった排水口、すなわち、隙間３１ａが溝２７の全長に沿って形成されているので、溝２７をそれほど流れなくても排水でき、溝２７からの排水が極めて容易となる。このため、側溝１ｄあるいは１ｅの表面に形成された溝１４および２７の幅を狭く、また、浅くすることが可能となり、蓋２０および側溝用スラブ１２の強度を減らすことなく、側溝の表面に回収用の溝１４および２７を設けることができる。
【００５９】
（第６の実施の形態）
図１７に、本発明のさらに異なる例を示してある。本例の側溝１ｆは、図１８に断面を示すように、断面がＵ字型の側溝であり、各々の蓋２０ｆの周囲の各辺２２ａ、２２ｂ、２２ｃおよび２２ｄに沿ってスリット状の空間３１および３２が形成されている。まず、図１８に幅方向の断面で示すように、側溝１ｆの長手方向Ｘの両側に、側溝用ブロック１０ｆの開口１１の両側面１５ａおよび１５ｂと蓋２０ｆの長手方向Ｘに延びた両側面２１ａおよび２１ｂとにより隙間３１ａおよびそれに続く縦長の空間３１が形成されている。
【００６０】
さらに、図１９に示すように、側溝１ｆの幅方向Ｙに、蓋２０ｆの幅方向Ｙに延びた側面２８ａと、他方の蓋２０ｆの幅方向の延びた側面２８ｂとの間に幅方向Ｙに延びた排水用の空間３２が形成されている。そして、蓋２０ｆの辺２２ｃを形成する側面２８ａの上端２８ｔと、蓋２０ｆの辺２２ｄを形成する側面２８ｂの上端２８ｔとにより、スリット状の隙間３２ａ（第２の隙間）が形成されている。このため、本例の側溝１ｆにおいては、蓋の側面同士のクリアランスを上記の蓋の側面と開口の側面と同等に制御することにより、蓋２０ｆの全周にわたり細長い排水用の空間３１および３２が形成されている。したがって、さらに大きな排水用の開口面積を確保することができ、長手方向Ｘに流れる排水も効率的に側溝１ｆの内部に排出することができる。また、幅方向Ｙに形成された空間３２の隙間３２ａも、６〜３０ｍｍ程度、望ましくは１０〜２０ｍｍ程度に制御されるので、グレーチングなどにより隙間を埋める必要はなく、低コストで開口面積の大きな側溝を提供できる。
【００６１】
図２０に、本例の蓋２０ｆの概要を示してある。本例の蓋２０ｆはコンクリート製で、４つの側面の内、長手方向Ｘに延びた両側面２１ａおよび２１ｂの両方と、幅方向に延びた側面２８ａおよび２８ｂの内、一方の側面２８ｂのそれぞれに突起５１が形成されている。したがって、蓋２０ｆの側から突き出た突起５１により、蓋２０ｆの周囲に所望の幅の空間３１および３２を形成できる。すなわち、両側面２１ａおよび２１ｂから突き出た突起５１は、開口１１の両側面１５ａおよび１５ｂに当たって長手方向Ｘに延びた空間３１（第１の空間）を形成し、側面２８ｂから突き出た突起５１は、隣接する他の蓋２０ｆの側面２８ａに当たって幅方向Ｙに延びた空間３２（第２の空間）を形成する。したがって、これらの空間３１および３２により形成される第１の隙間３１および第２の隙間３２とにより、図１７に示すように、側溝１ｆを表面から見ると、蓋２０ｆの全周に沿って排水用の隙間が形成される。
【００６２】
本例の蓋２０ｆの裏面２４には、さらに、側面２１ａ、２１ｂ、２８ａおよび２８ｂから中心方向に向かって伸びた一条の凹み６９が形成されている。本例の蓋２０ｆは、蓋２０ｆを着脱するときなどに手を掛けたりするために使われる切り欠きは形成されていない。その代わり、蓋２０ｆの各辺２２ａ〜２２ｄに沿って空間３１および３２が形成されるので、その空間３１または３２にＬ字型の細長い棒状のジグ６８を入れる。そして、９０度回転させて、ジグ６８の先端を裏面の溝６９に引っ掛けてずれないようにして、ジグ６８を引っ張ることにより蓋２０ｆを持ち上げる。
【００６３】
図２１に、本例の側溝用ブロック１０ｆを上方から見た様子を示してある。本例の側溝１ｆでは、長手方向Ｘの両側に空間３１が形成される蓋２０ｆを取り付ける。したがって、コンクリート製の側溝用ブロック１０ｆの両側の蓋支持部１９に断続的に凹みあるいは切り欠き１８が設けられており、両側の空間３１と、その下に形成された切り欠き１８を介して排水５を側溝１ｆの内部に排出できる。幅方向Ｙに延びた空間３２からはそのまま側溝１ｆの内部の流路１３に排水することができる。
【００６４】
このように、本例の側溝１ｆでは、長手方向Ｘの両側に空間３１が形成されるので、蓋２０ｆの幅Ｗ２は、側溝１０ｆの開口１１の幅Ｗ１より、１０〜６０ｍｍ程度狭くなる。
【００６５】
（第７の実施の形態）
図２２に、本発明のさらに異なる例を示してある。本例の側溝１ｇは、図２３に断面を示すように、断面が門型の自由勾配側溝であり、各々の蓋２０ｇの周囲の各辺２２ａ、２２ｂ、２２ｃおよび２２ｄに沿ってスリット状の空間３１、３２および３３が形成されている。まず、図２３に幅方向の断面で示すように、側溝１ｇの長手方向Ｘの両側に、側溝用ブロック１０ｇの開口１１の両側面１５ａおよび１５ｂと蓋２０ｇの長手方向Ｘに延びた両側面２１ａおよび２１ｂとにより縦長の空間３１が形成されている。また、本例の側溝用ブロック１０ｇには、図２６に示すように、暗渠部１２の幅方向Ｙの両側に、長手方向Ｘに沿って延びた浅い溝１４が形成されている。各々の溝１４は、第４の実施の形態で説明した溝１４と同様に、外側の側面１４ａが開口１１の側面１５ａおよび１５ｂにそれぞれ接続するように形成されており、各々の溝１４で回収した排水５は開口１１に導かれるようになっている。さらに排水５は、各々の蓋２０ｇの段差部２６と開口１１の両側面１５ａおよび１５ｂで形成された開口１１の内部の浅い溝２７を介して空間３１から側溝内部に排出される。
【００６６】
また、図２４に示すように、側溝１ｇの幅方向Ｙに、蓋２０ｇの幅方向Ｙに延びた側面２８ａと、他方の蓋２０ｇの幅方向の延びた側面２８ｂとの間に幅方向Ｙに延びた排水用の空間３２が形成されている。さらに、側溝１ｇの幅方向Ｙに、蓋２０ｇの幅方向Ｙに延びた側面２８ａと、開口１１の幅方向Ｙに延びた側面１６ａとの間に幅方向Ｙに延びた排水用の空間３３が形成されている。同様に、側溝１ｇの幅方向Ｙに、蓋２０ｇの幅方向Ｙに延びた側面２８ｂと、開口１１の幅方向Ｙに延びた側面１６ｂとの間に幅方向Ｙに延びた排水用の空間３３が形成されている。したがって、幅方向Ｙにおいても、蓋２０ｇの辺２２ｃおよび２２ｄを形成する側面２８ａおよび２８ｂの上端２８ｔと、開口１１の幅方向Ｙの側面１６ａおよび１６ｂの上端１６ｔとにより、スリット状の隙間３３ａが形成されている。このため、本例の側溝１ｇにおいては、幅方向Ｙにおいても、側溝本体１０ｇと蓋２０ｇとのクリアランスを、蓋２０ｇから水平方向に突き出た突起５１により積極的に制御することにより、蓋２０ｇの全周にわたり細長い排水用の空間３１、３２および３３が形成されている。
【００６７】
したがって、暗渠部１２と開渠部１１がある自由勾配側溝においても、開渠部１１、すなわち、開口１１に搭載された蓋２０ｇの周囲全体に細い隙間３１ａ、３２ａおよび３３ａが形成され、さらに大きな排水用の開口面積を確保することができる。また、長手方向Ｘに流れる排水も効率的に側溝１ｇの内部に排出することができる。また、幅方向Ｙに形成された空間３３の隙間３３ａも、６〜３０ｍｍ程度、望ましくは１０〜２０ｍｍ程度に制御されるので、グレーチングなどにより隙間を埋める必要はなく、低コストで開口面積の大きな側溝１ｇを提供できる。
【００６８】
図２５に、本例の蓋２０ｇの概要を示してある。本例の蓋２０ｇはコンクリート製で、４つの側面の内、長手方向Ｘに延びた状態で設置される両側面２１ａおよび２１ｂと、幅方向Ｙに延びた状態で設置される両側面２８ａおよび２８ｂのそれぞれに２つの突起５１が形成されている。さらに、側面２８ａおよび２８ｂにおいては、線対称ではなく、点対象の位置に突起５１が配置されており、幅方向Ｙに複数の蓋２０ｇを並べて配置したときに、突起５１同士は当たらない設計になっている。したがって、蓋２０ｇは、１８０度回転させても同じ形状になるので、長手方向Ｘの向きを気にすることなく施工できる。
【００６９】
これらの突起５１は、上記において説明したように、側壁２１ａ、２１ｂ、２８ａおよび２８ｂの上端２１ｔおよび２８ｔよりも下に形成されており、蓋２０ｇを開口１１に設置したときに、蓋２０ｇの縁あるいは辺２２ａ〜２２ｄをそれぞれ形成する上端２１ｔおよび２８ｔがそのまま表面に現れ、その上端２１ｔおよび２８ｔと、側溝の開口１１の側壁１５ａ、１５ｂ、１６ａおよび１６ｂの上端１５ｔおよび１６ｔとにより空間３１、３２および３３の隙間３１ａ、３２ａおよび３３ａが形成される。したがって、これらの隙間３１ａ、３２ａおよび３３ａは、蓋２０ｇの外形や開口１１の内形を形成するように直線的に延びたそれぞれの上端２１ｔおよび２８ｔと、上端１５ｔおよび１６ｔと、場合によっては上端２８ｔ同士が並列にあるいは平行に離れることにより形成されるものである。したがって、蓋２０ｇの表面の形状および開口１１の表面の形状は、長手方向に凹凸をつけたりすることなく、サイズが若干小さくなるとしても、そのままの形を維持できる。そして、それら蓋２０ｇの表面の形状および開口１１の表面の形状を維持することにより、細長い、排水には充分であるが、つまずかない程度の隙間を蓋２０ｇの外周、すなわち、開口１１の内周に沿って、本例では、特に、全周にそって形成することができる。したがって、側溝１ｇの全体のデザインとしては、新たに排水用の凸凹した隙間が設けられるわけではないので、違和感がなく、その一方で、安全で排水効率の高い側溝を提供できる。逆に、蓋の外周あるいは開口の内周にそって、輪郭を強調するようなスリット状の隙間（ギャップ）３１ａ、３２ａおよび３３ａが形成されるので、道路上にすっきりとした四角形の幾何学的な模様が強調されることになり、スマートなあるいはすっきりとしたアクセントが道路わきにある道路２を施工することができる。
【００７０】
また、蓋２０ｇの表面２３の幅方向Ｙの両縁には、長手方向Ｘに延びた浅い段差２６が形成されており、蓋２０ｇを開口１１に設置すると、浅い段差２６により、開口１１の両端に沿って長手方向Ｘに延びた溝２７が形成されるようになっている。そして、その溝２７の外側に沿って、全長にわたりスリット状の隙間３１ａが形成され、その下の空間３１を通って溝２７から排水５が側溝１ｇの流路１３に導かれる。
【００７１】
さらに、蓋２０ｇの裏面２４には、上記の蓋２０ｆと同様に蓋２０ｇを着脱するための冶具を掛けることができる溝６８が形成されている。したがって、蓋２０ｆの側から突き出た突起５１により、蓋２０ｆの周囲に所望の幅の空間３１および３２を形成できる。すなわち、両側面２１ａおよび２１ｂから突き出た突起５１は、開口１１の両側面１５ａおよび１５ｂに当たって長手方向Ｘに延びた空間３１を形成し、側面２８ｂから突き出た突起５１は、隣接する他の蓋２０ｆの側面２８ａに当たって幅方向Ｙに延びた空間３２を形成する。
【００７２】
本例の蓋２０ｆの裏面２４には、さらに、側面２１ａ、２１ｂ、２８ａおよび２８ｂから中心方向に向かって伸びた一条の凹み６９が形成されている。本例の蓋２０ｆは、蓋２０ｆを着脱するときなどに手を掛けたりするために使われる切り欠きは形成されていない。その代わり、蓋２０ｆの各辺２２ａ〜２２ｄに沿って空間３１および３２が形成されるので、その空間３１または３２にＬ字型の細長い棒状のジグ６８を入れる。そして、９０度回転させて、ジグ６８の先端を裏面の溝６９に引っ掛けてずれないようにして、ジグ６８を引っ張ることにより蓋２０ｆを持ち上げることができる。
【００７３】
図２６に、本例の側溝用ブロック１０ｇを上方から見た様子を示してある。本例の側溝１ｇでは、長手方向Ｘの両側に空間３１が形成される蓋２０ｇを取り付ける。したがって、コンクリート製の側溝用ブロック１０ｇの開渠部１１の両側の蓋支持部１９に断続的に凹みあるいは切り欠き１８が設けられており、両側の空間３１と、その下に形成された切り欠き１８を介して排水５を側溝１ｇの内部に排出できるようになっている。幅方向Ｙに延びた空間３２および３３からはそのまま側溝１ｇの内部の流路１３に排水することができる。
【００７４】
本例の側溝１ｇにおいても、長手方向Ｘの両側に空間３１が形成されるので、蓋２０ｇの幅Ｗ２は、側溝１０ｇの開口１１の幅Ｗ１より、１０〜６０ｍｍ程度狭くなる。一方の隙間３１ａの幅を１０〜２０ｍｍ程度にするのであれば、蓋２０ｇの幅Ｗ２は、２０〜４０ｍｍ程度が開口１１の幅Ｗ１より短いことが望ましい。
【００７５】
（第８の実施の形態）
図２７に、本発明のさらに異なる例を示してある。本例の側溝１ｈは、図２８に断面を示すようにＵ字型側溝である。側溝用ブロック１０ｈは、蓋支持部１９には切り欠きはなく、たとえば、既設のＵ字型の側溝用ブロックが該当する。図２９に本例の蓋２０ｇの概要を示してある。この蓋２０ｇはコンクリート製で、底面２４の一部が下方に突き出て蓋支持部１９と係合する段差部５２ａおよび５２ｂが形成されており、図６に示した蓋２０ｂと同様に、開口１１に設置すると蓋２０ｇの側面２１ａおよび２１ｂと開口１１の側面１５ａおよび１５ｂとで排水用の空間３１が形成されるように蓋２０ｇの位置が決まる。ただし、本例の蓋２０ｇは、開口１１の両側の蓋支持部１９に沿って空間３１が形成されるように蓋２０ｇが位置決めされるものであり、底面２４の段差部５２ａおよび５２ｂは対称な設計となっている。
【００７６】
さらに、底面２４には、空間３１を形成する側面２１ａおよび２１ｂの中央に、これらの面２１ａおよび２１ｂの途中（上下方向）から蓋２０の中心に向かって蓋支持部１９の内側に排水用の経路が形成されるように延びた切り欠き６１が形成されている。したがって、蓋２０ｈを開口１１に設置したときに形成される空間３１に流れ込んだ排水５は、蓋２０ｈの裏面に設けられた切り欠き６１を通ってＵ字型側溝１ｆの流路１３に排水される。このため、本例の側溝１ｈにおいては、蓋２０ｈを開口１１に設置するだけで、長手方向Ｘの全長に沿って排水用の細い隙間３１ａが形成され、道路排水５は、その隙間３１ａから空間３１および排水用の切り欠き６１を通って側溝１ｆの内部に排出される。したがって、側溝用ブロック１０ｈは、従来のＵ字型側溝用ブロックでよく、既存のＵ字型側溝にも本発明を適用できる。もちろん、蓋支持部１９に切り欠きのある側溝用ブロック、たとえば、１０ａと組み合わせることも可能である。
【００７７】
（第９の実施の形態）
図３０に、本発明のさらに異なる例を示してある。本例の側溝１ｉは、開口部（開渠部）１１と暗渠部１２とを備えた自由勾配側溝であり、たとえば、側溝用ブロック１０ｃが埋設されたものである。本例の側溝１ｉでは、開口１１に２枚のコンクリート製の蓋２０ｉと、それらに挟まれるように短い幅のセンターグレーチング７１とを設置してある。コンクリート製の蓋２０ｉを開口１１に設置すると、蓋２０ｉの側面２１から突き出た突起５１により開口１１の長手方向Ｘに沿ってスリット状の隙間３１ａが形成される。また、これらの蓋２０ｉの間には、目あるいはスリットが幅方向Ｙに延びた長手方向Ｘの長さが短いグレーチング７１が設置されており、このグレーチング７１も排水の機能を果たす。センターグレーチング７１は、歩きやすさと歩行の安全を考えると、目あるいはスリットの幅が１０〜２０ｍｍ程度の細めと称されているグレーチングにより形成することが望ましい。
【００７８】
図３１に蓋２０ｉの概要を示してある。長手方向Ｘに延びた一方の側面２０には表面２３に表れない位置に突起５１が形成されており、それにより開口１１とのクリアランスを大きく保つことにより長手方向Ｘに長く細い排水用のスリットを形成できる。さらに、幅方向Ｙに延びた側面２８ａおよび２８ｂには、一部が凹んだ凹部５９が形成され、さらに排水用の開口面積を大きくしている。本例の蓋２０ｉでは、幅方向Ｙの面２８ａおよび２８ｂには、表面２３から凹凸ができるように凹部５９を設けてある。本例の凹部５９は、はばを１０ｍｍ程度と細くしているが、それでも表面２３に蓋２０ｉの縁に沿って凹凸が表面に表れるので、歩行時に躓きやすい印象を与えやすい。また、表面に凹凸が表れることにより、その凹凸５９の開口面積は、本発明による蓋２０ｇに沿ったスリット状の空間３１の隙間３１ａの面積よりも小さくなりやすい。
【００７９】
（第１０の実施の形態）
図３２に、本発明のさらに異なる例を示してある。断面が開口部（開渠部）１１と暗渠部１２とを備えた側溝であり、さらに図３２（ａ）に開渠部１１の断面を示すように、底壁が予めプレハブされたコンクリート製の側溝用ブロック１０ｊを埋設することにより形成されている。したがって、暗渠部１２においては、本例の側溝用ブロック１０ｊは、カルバートと称されるトンネル状あるいはパイプ状に周囲がコンクリート壁で覆われた強度の高いものである。
【００８０】
図３２（ｂ）に拡大して示してあるように、本例の側溝用ブロック１０ｊの蓋支持部１９には、長手方向に延びた突起５６が形成され、蓋２０ｊの底面には、この突起５６と係合あるいは噛み合う位置に係合用の凹みあるいは溝５５が形成されている。そして、蓋２０ｊを開口１１に設置すると、蓋２０ｊの溝５５と支持部１９の突起５６が噛み合い、蓋２０ｊの側面２１と開口１１の側面１５との間に空間３１が形成されるように蓋２０ｊの位置が決まる。蓋支持部１９に溝を設け、蓋２０の底面２４の側に支持部１９と噛み合う突起を設けておいても良い。
【００８１】
図３３に、本例の蓋２０ｊの概要を示してある。この蓋２０ｊはコンクリート製で、底面２４の縁側に長手方向Ｘに延びた２つの溝５５を備えている。本例の蓋２０ｊは、開口１１に設置すると、図３２（ａ）に示すように一方に空間３１が形成されるタイプとなる。したがって、蓋２０ｊの裏面２４の取付溝５５の配置は非対称になり、空間３１を形成する側の取付溝５５と蓋の辺２２ａとの距離ｄ１は、他方の取付溝５５と蓋の辺２２ｂとの距離ｄ２よりも短くなる。
【００８２】
（第１１の実施の形態）
図３４に、本発明のさらに異なる例を示してある。本例の側溝１ｋは自由勾配側溝であり、図３５に本例の蓋２０ｋの概要を示してある。この蓋２０ｋは、コンクリート製で、各側面２１ａ、２１ｂ、２８ａおよび２８ｂの中央付近に内部が雌螺子になったインサート５７が埋設されており、ボルト５８をスペーサあるいは突起として取り付けられるようになっている。したがって、本例の蓋２０ｋにより、図２２に示したような蓋２０ｋの全周にスリット状の排水用の隙間（スリットあるいはギャップ）が開いた側溝を形成することができる。ボルト５８をスペーサとして採用することにより、空間３１の内部でスペーサが占める体積を軽減できるので、さらに排水効率の高い側溝を施工できる。しかしながら、インサート５７を埋設し、ボルト５８を取り付ける必要があるので、製造コストおよび施工コストは高くなる。
【００８３】
（第１２の実施の形態）
図３６ないし図４４に、本発明のさらに異なる例を示してある。これらの例では、Ｕ字型側溝１ｍ〜１ｑを例に説明しているが、自由勾配側溝においても同様の形態を採用できる。
【００８４】
まず、図３６に示した側溝１ｍは、図２８などを参照して説明した側溝１ｈの変形であり、Ｕ字型の側溝本体１０ｍと、その開口１１に設置された蓋２０ｍとを備えている。図３７（ａ）に示すように、蓋２０ｍは、裏面または底面２４の中央部分２４ａに下方に突き出た下突起６５が形成され、その両側の段差５２ａおよび５２ｂが、図３７（ｂ）に示した側溝本体１０ｍの開口１１の蓋支持部１９と係合して第１の空間３１が形成される。そして、蓋支持部１９の一部に排水用の切り欠き１８が形成されており、空間３１および切り欠き１８を通って道路排水５が側溝内部の流路１３に排水される。
【００８５】
この方式の側溝１ｍは、横突起を省略でき、第１の空間３１に横突起が現れない。したがって空間３１を排水用のスペースとして有効活用することが可能であり、排水効率は高くなる。このため、隙間３１ａが細くても排水効率は高い。また、上から隙間３１ａを通して横突起が見えないので、見栄えはさらに良い。
【００８６】
しかしながら、蓋２０ｍの中央部分に下突起６５が形成されるので、蓋２０ｍの中央部分の厚さｔ１は縁の部分の厚さｔ２より大きくなり、従来の蓋よりも厚くなる。すなわち、安定したストッパとして機能する程度の厚みと、コンクリートの構造として安易にかけない程度の強度を考慮すると、下突起６５の厚みは少なくとも１０ｍｍ程度は必要であり、２０〜３０ｍｍ程度の厚みが確保できることがさらに望ましい。したがって、蓋２０ｍが重くなり、コストが上り不経済な設計となる。これに対して蓋支持部１９を浅くして、蓋２０ｍの両端の厚みを薄くすることが可能であるが、蓋２０ｍの強度が低下する要因となるし、蓋支持部１９を浅くするためには、側溝本体１０ｍを成形する型枠を大きく改造する必要がある。したがって、蓋支持部１９を浅くする方法は、実際に製造する点ではそれほど好ましい解決策でない。
【００８７】
さらに、本発明においては、蓋２０ｍと側溝本体１０ｍとの隙間を積極的に制御して排水用に十分ではあるが、歩行の障害にならないような隙間３１ａを形成する。したがって、隙間３１ａを精度良く制御するためには、蓋２０ｍを側溝本体１０ｍの開口１１に精度良く嵌める必要があるが、そのためには、蓋２０ｍと側溝本体１０ｍの開口１１との製造上の公差あるいはクリアランスを小さくする必要がある。しかしながら、コンクリート製品においてクリアランスが小さくしすぎると、製造誤差により、たとえば、蓋２０ｍが開口１１に嵌らなくなる恐れがでる。嵌ったとしても、嵌めあいがきつくなって蓋が取れなくなる可能性がある。また、蓋を開口に敷設する際に、下突起が側溝本体と接触して下突起が角欠けする可能性がある。
【００８８】
一方、クリアランスを大きくすると、蓋２０ｍの位置が決まらず、がたつきが大きくなり、表面に出る第１の隙間３１ａの幅に統一性がなくなり、部分的に歩行の障害となったり、デザインの統一性がなくなる。
【００８９】
これに対し、先ず、図３８に示す側溝１ｎでは、図３９（ａ）に示すように、蓋２０ｎの裏面２４から下方に突き出た下突起６５の側面６５ａを、下が細くなるような（下方に向かって縮小するような）斜面にしている。そして、図３９（ｂ）に示すように、側溝本体１０ｎの蓋支持部１９の内側に、蓋２０ｎの下突起６５の斜面６５ａと当たるように下側に傾斜した、すなわち、これも下方に向かって縮小するような支持面６６を形成している。これらの突起６５および支持面６６の幅は３０ｍｍ程度あれば十分である。
【００９０】
この蓋２０ｎと側溝本体１０ｎであると、製造上の公差（クリアランス）を多少大きく設定しても、斜めに側面６５ａが下方に突き出た下突起６５は、下方に狭くなった支持面６６にあたり、多少の誤差は生ずるとしても蓋の位置は決まる。そして、蓋２０ｎを開口１１に設置するときも、下突起６５が支持面６６に当たり、ガイドされて蓋２０ｎの位置が決まるまで、下突起６５が支持面６６を滑るように導かれるので、蓋２０ｎを設置するのが容易である。また、そのために、下突起やその他の蓋の角が欠けることがなく、クリアランスを小さくすることができる。
【００９１】
さらに、下突起６５と支持面６６が当たる部分は、ほぼ線または点になるので、下突起６５と支持面６６が直に当たっている状態になっても着脱の障害にならない。特に、下突起６５または支持面６６が湾曲していれば、接触する部分は小さくなる。逆に、蓋２０ｎの位置が精度良く決まり、隙間３１ａの幅が精度良く決まり、さらに、蓋２０ｎのがたつきがなくなるので、音がしないというメリット（防音効果）もある。また、下突起６５を受ける蓋支持部１９の内側を、下側に傾斜した支持面６６とすることにより、支持面６６には、泥やゴミなどがつきにくくなり、その点でもさらにがたつきがなく蓋２０ｎを開口１１にセットすることができる。斜面の代わりに湾曲した面を用いても同様のデザインが可能である。したがって、このように、斜面あるいは湾曲した面を蓋の下突起と、側溝本体の開口の蓋支持部に採用することにより、設計公差を小さくすることも可能となる。このため、幅に統一性がある第１の空間の幅（第１の隙間の幅）を容易に形成することができ、歩行の障害にならず、デザインの統一性のある側溝を提供できる。
【００９２】
また、この側溝用ブロック１０ｎであると、水平な蓋支持部１９があるので、その部分にグレーチングを載せることができるというメリットもある。したがって、コンクリート蓋２０ｎの代わりに水平なグレーチングも容易に開口に敷設することが可能であり、汎用性が高い。
【００９３】
下突起としての強度および位置決めするときに側溝本体の斜面と接する面積を考えると、下突起６５は少なくとも１０ｍｍ程度の厚みは必要であり、それ以下であると蓋として不安定になる。したがって、蓋２０ｎは、両側の厚みｔ２より中央部分の厚みｔ１が大きくなり、蓋としては厚みが１０ｍｍ程度あるいはそれ以上に大きくなる。しかしながら、構造計算では、開口の蓋支持部１９に載る蓋受けの部分の厚みｔ２が蓋の厚みとして計算される。したがって、中央部分の厚みｔ１は強度的には評価されないので、厚みが増加した分は重量アップと、コストアップになる。
【００９４】
このため、図４０に示す側溝１ｐでは、図４１（ａ）および図４２に示すように、蓋２０ｐの裏面２４に、側溝１ｐの長手方向に沿って２列の下突起６７ａおよび６７ｂを設けている。これらの突起６７ａおよび６７ｂは、上記の下突起６５と同じ機能を果たし、さらに、突起であると蓋の外側の厚みｔ２と内側の厚みｔ１とを同じにできるので、蓋の重量アップを改善できる。したがって、経済的な蓋で、スリット状の隙間を形成することができる蓋を提供できる。
【００９５】
これらの下突起６７ａおよび６７ｂは、断面がほぼ半円形あるいは楕円形となっており、湾曲した下突起となっている。そして、上記と同じように、開口１１の蓋支持部１９の内側が下側に傾斜した支持面６６となった側溝本体１０ｎに載せており、上記の側溝１ｎの蓋２０ｎと同様の効果を備えている。すなわち、蓋２０ｐは、がたつきなく蓋を側溝の開口１１に設置することができ、蓋２０ｎおよび側溝本体の開口１１の境界に沿って延びた排水用の空間３１を形成できるものである。さらに、蓋の裏面２４に突き出た下突起を２列にすることにより、下突起６７ａおよび６７ｂの間の蓋２０ｐの裏面の中央２４ａは、蓋として強度上必要な厚みにすることができる。すなわち、蓋の厚みを必要以上に厚くする必要がなくなり、中央の厚さｔ１を縁の厚さｔ２と同じ、または薄くすることができる。したがって、側方に大きな排水用の空間３１を形成でき、さらに、軽く低コストで供給できる蓋２０ｐを提供できる。また、この２列の突起６７ａおよび６７ｂは、蓋の一方の側面に排水用の空間３１を形成するために非対称な位置となり、両縁（辺）２２ａおよび２２ｂからの距離ｄ１およびｄ２が異なり、空間３１を形成する方の距離ｄ１が他方の距離ｄ２よりも小さくなる。
【００９６】
図４３に示す側溝１ｑにおいては、図４４（ａ）に示すように、中央の厚みｔ１が縁の厚みｔ２よりも小さな蓋２０ｑを、下側に傾斜した支持面６６を備えた側溝本体１０ｎに載せている。この側溝１ｑは、たとえば、側溝１ｑの上が歩行専用になっているような領域に施工されるものである。側溝１ｑにかかる荷重が少ない場合は、２列の下突起６７ａおよび６７ｂを設けることにより、蓋２０ｑの中央部分の厚みｔ２をさらに小さくすることにより蓋２０ｑの重量を低減し、コストを下げることができる。しかしながら、歩車道として用いられる可能性がある道幅の狭い道路では、蓋２０の中央部分の厚みｔ２を減らすことは危険であり、図４０に示したような、縁（蓋受け部分）の厚みｔ１と、中央部分の厚みｔ２が同じ設計が最も経済的な設計となる。
【００９７】
図４０および図４３に示したような突起により蓋の位置決めをする方法はスリットを設ける必要のない側溝の蓋にも有効である。上述したように、蓋と開口は数ｍｍのクリアランスがあるので、単に開口に蓋を搭載しても直線状に揃えることは難しいが、長手方向に延びた下突起を設けて蓋の位置決めをすることによりクリアランスの範囲でも蓋を直線的に揃えて設置することができる。さらに、側溝本体の蓋受け部１９のテーパー状になった支持面６６に、下突起６７ａおよび６７ｂの側面が接するので、がたつきもなく、騒音防止にも効果がある。そして、２列の下突起６７ａおよび６７ｂを設けることにより、蓋の重量増加はわずかであり、蓋の上げ下げに支障もでず、また、経済的でもある。
【００９８】
（第１３の実施の形態）
図４５に、本発明のさらに異なる例を示してある。この例では、蓋の一方の側に排水用の空間３１が形成されるＵ字型側溝１ｒを例に説明しているが、自由勾配側溝を含め、上述したすべての実施の形態においても適用できるものである。
【００９９】
図４５に示した側溝１ｒ、先荷、図３６に基づき説明したＵ字型の側溝本体１０ｍと、その開口１１に設置された蓋２０ｒとを備えている。図４６（ａ）に示すように、蓋２０ｒは、裏面または底面２４に、２列の下突起６７ａおよび６７ｂを備えている。したがって、これらの突起６７ａおよび６７ｂが、図４６（ｂ）に示す側溝本体１０ｍの開口１１の蓋支持部１９の内側の段差と係合することにより、第１の空間３１が形成される。そして、蓋支持部１９の一部に排水用の切り欠き１８が形成されており、空間３１および切り欠き１８を通って道路排水５が側溝内部の流路１３に排水される。
【０１００】
図４７に拡大して示すように、本例の蓋２０ｒでは、第１の空間３１を形成する側面２１の傾斜が開口１１の側面１５の傾斜と異なっており、側溝１ｒの表面に形成される隙間３１ａに対して第１の空間３１の下の方の隙間３１ｂが広くなる。したがって、隙間３１ａに砂利や泥などが入っても、隙間３１ａより下方の隙間３１ｂの方が大きいので、隙間３１ａを抜けた砂利やごみは、そのまま第１の空間３１を通って側溝内部に排出される。このため、隙間３１ａが狭くても、砂利、砂、ごみ、泥などによって詰まることがなく、信頼性の高い排出口を開口１１の縁あるいは蓋２０ｒの縁に沿って形成することができる。また、空間３１の容量に対して隙間３１ａを狭くできるので、歩行の障害とならず、さらに排水効率の高い空間３１を蓋２０ｒと側溝本体１０ｍの開口１１との間に形成することができる。
【０１０１】
以上に幾つかの側溝の例を挙げて本発明を説明しているが、本発明は上記の実施の形態に限定されるものではなく、さらに多くのバリエーションがある。側溝用ブロックとしては、長手方向Ｘに浅い溝１４が形成されて例を説明しているが、民地側を多少高くして民地側への漏水を防止するようにしたものや、路肩を補強する機能を持たせるために道路側に向かって基礎部が延びたようなものもあり、それらを用いて本発明を実現することも可能である。
【０１０２】
また、側溝用ブロックおよび蓋の表面には模様のない例で本発明を説明しているが、碁盤模様、格子模様、レンガ模様、タイル模様などの幾何学的模様を表面に付すことも可能であり、タイル張りの歩道にマッチした側溝を本発明で提供することも可能である。
【０１０３】
【発明の効果】
以上に説明したように、本発明においては、細いスリット状の隙間を側溝の開口の端の全体（全長）に沿って設けて、効率良く雨水を側溝内部に落として込むようにしている。また、この発明では、蓋の表面から下側に蓋の位置を決めるストッパを設けることにより、表面に表れる排水用の隙間は開口の縁に沿って直線的になり、幅が広い部分と全く隙間がない部分と発生して見苦しくなるのを防止できる。さらに、ストッパを設けて安定した幅の排水用の排水口がが、蓋と開口の縁同士の間に形成しており、複数の蓋を配置しても、蓋毎に隙間の幅が異なるようなこともない。
【０１０４】
したがって、本発明により、歩行に障害ならない程度の細く、しかしながら、側溝の長手方向に細く延びた排水用の隙間を備えた排水効率の高い側溝を施工することが可能となる。このため、本発明により、歩行の障害にならず、排水効率が高く、さらに、グレーチングなどで埋める必要のない隙間を供えた側溝を低コストで施工することが可能となる。
【図面の簡単な説明】
【図１】第１の実施の形態に係る側溝の平面図である。
【図２】図２（ａ）は、第１の実施の形態に係る側溝の幅方向の断面図であり、図２（ｂ）は排水用の隙間を形成した部分を拡大して示す断面図であり、図２（ｃ）は蓋の横突起も含めた断面図である。
【図３】第１の実施の形態に係る蓋の概要を示す図であり、図３（ａ）は、蓋の平面図、図３（ｂ）は、蓋の長手方向に延びた側面を示す図（正面図）、図３（ｃ）は、蓋の幅方向に延びた側面を示す図（側面図）である。
【図４】第１の実施の形態に係る側溝用ブロックの概要を示す平面図である。
【図５】第２の実施の形態に係る側溝の平面図である。
【図６】図６（ａ）は、第２の実施の形態に係る側溝の幅方向の断面図であり、図６（ｂ）は排水用の隙間を形成した部分を拡大して示す断面図である。
【図７】第２の実施の形態に係る蓋の概要を示す図であり、図７（ａ）は、蓋の平面図、図７（ｂ）は、蓋の長手方向に延びた側面を示す図（正面図）、図７（ｃ）は、蓋の幅方向に延びた側面を示す図（側面図）である。
【図８】第３の実施の形態に係る側溝の平面図である。
【図９】第３の実施の形態に係る側溝の幅方向の断面図である。
【図１０】第３の実施の形態に係る側溝用ブロックの概要を示す平面図である。
【図１１】第４の実施の形態に係る側溝の平面図である。
【図１２】図１２（ａ）は、第４の実施の形態に係る側溝の幅方向の断面図であり、図１２（ｂ）は排水用の隙間を形成した部分を拡大して示す断面図である。
【図１３】第４の実施の形態に係る蓋の概要を示す図であり、図１３（ａ）は、蓋の平面図、図１３（ｂ）は、蓋の長手方向に延びた側面を示す図（正面図）、図１３（ｃ）は、蓋の幅方向に延びた側面を示す図（側面図）である。
【図１４】第４の実施の形態に係る側溝用ブロックの概要を示す平面図である。
【図１５】第５の実施の形態に係る側溝の平面図である。
【図１６】第５の実施の形態に係る側溝の幅方向の断面図である。
【図１７】第６の実施の形態に係る側溝の平面図である。
【図１８】第６の実施の形態に係る側溝の幅方向の断面図である。
【図１９】第６の実施の形態に係る側溝の長手方向の断面図である。
【図２０】第６の実施の形態に係る蓋の概要を示す図であり、図２０（ａ）は、蓋の平面図、図２０（ｂ）は、蓋の長手方向に延びた側面を示す図（正面図）、図２０（ｃ）は、蓋の幅方向に延びた側面を示す図（側面図）、図２０（ｄ）は底面図である。
【図２１】第６の実施の形態に係る側溝用ブロックの概要を示す平面図である。
【図２２】第７の実施の形態に係る側溝の平面図である。
【図２３】第７の実施の形態に係る側溝の幅方向の断面図である。
【図２４】第７の実施の形態に係る側溝の長手方向の断面図である。
【図２５】第７の実施の形態に係る蓋の概要を示す図であり、図２５（ａ）は、蓋の平面図、図２５（ｂ）は、蓋の長手方向に延びた側面を示す図（正面図）、図２５（ｃ）は、蓋の幅方向に延びた側面を示す図（側面図）、図２５（ｄ）は底面図である。
【図２６】第７の実施の形態に係る側溝用ブロックの概要を示す平面図である。
【図２７】第８の実施の形態に係る側溝の平面図である。
【図２８】第８の実施の形態に係る側溝の幅方向の断面図である。
【図２９】第８の実施の形態に係る蓋の概要を示す図であり、図２９（ａ）は、蓋の平面図、図２９（ｂ）は、蓋の長手方向に延びた側面を示す図（正面図）、図２９（ｃ）は、蓋の幅方向に延びた側面を示す図（側面図）、図２９（ｄ）は底面図である。
【図３０】第９の実施の形態に係る側溝の平面図である。
【図３１】第９の実施の形態に係る蓋の概要を示す図であり、図３１（ａ）は、蓋の平面図、図３１（ｂ）は、蓋の長手方向に延びた側面を示す図（正面図）、図３１（ｃ）は、蓋の幅方向に延びた側面を示す図（側面図）である。
【図３２】図３２（ａ）は、第１０の実施の形態に係る側溝の幅方向の断面図であり、図３２（ｂ）は、排水用の隙間の部分を拡大して示す断面図である。
【図３３】第１０の実施の形態に係る蓋の概要を示す図であり、図３３（ａ）は、蓋の平面図、図３３（ｂ）は、蓋の長手方向に延びた側面を示す図（正面図）、図３３（ｃ）は、蓋の幅方向に延びた側面を示す図（側面図）、図３３（ｄ）は底面図である。
【図３４】第１１の実施の形態に係る側溝の幅方向の断面図である。
【図３５】第１１の実施の形態に係る蓋の概要を示す図であり、図３５（ａ）は、蓋の平面図、図３５（ｂ）は、蓋の長手方向に延びた側面を示す図（正面図）、図３５（ｃ）は、蓋の幅方向に延びた側面を示す図（側面図）である。
【図３６】第１２の実施の形態に係る側溝の幅方向の断面図である。
【図３７】図３６に示す蓋の側面（図３７（ａ））と、側溝本体の断面（図３７（ｂ））とを示す図である。
【図３８】
第１２の実施の形態の異なる例の側溝の幅方向の断面図である。
【図３９】図３８に示す蓋の側面（図３９（ａ））と、側溝本体の断面（図３９（ｂ））とを示す図である。
【図４０】第１２の実施の形態の、さらに異なる例の側溝の幅方向の断面図である。
【図４１】図４０に示す蓋の側面（図４１（ａ））と、側溝本体の断面（図４１（ｂ））とを示す図である。
【図４２】図４１（ａ）に示す蓋の裏面を示す図である。
【図４３】第１２の実施の形態の、さらに異なる例の側溝の幅方向の断面図である。
【図４４】図４３に示す蓋の側面（図４４（ａ））と、側溝本体の断面（図４４（ｂ））とを示す図である。
【図４５】第１３の実施の形態に係る側溝の幅方向の断面図である。
【図４６】図４５に示す蓋の側面（図４６（ａ））と、側溝本体の断面（図４６（ｂ））とを示す図である。
【図４７】蓋と開口との境界に形成された隙間および空間を拡大して示す図である。
【符号の説明】
１ａ〜１ｋ　　側溝
１０ａ〜１０ｊ　　側溝用ブロック
２０ａ〜２０ｋ　　蓋
３１、３２、３３　　排水用の空間
３１ａ、３２ａ、３３ａ　　排水用の隙間
５１　　横突起
５２　　段差部
５５、５６　　係合用の凹凸
６５　　下突起
【図１】
2004076304.tif 000003
【図２】
2004076304.tif 000004
【図３】
2004076304.tif 000005
【図４】
2004076304.tif 000006
【図５】
2004076304.tif 000007
【図６】
2004076304.tif 000008
【図７】
2004076304.tif 000009
【図８】
2004076304.tif 000010
【図９】
2004076304.tif 000011
【図１０】
2004076304.tif 000012
【図１１】
2004076304.tif 000013
【図１２】
2004076304.tif 000014
【図１３】
2004076304.tif 000015
【図１４】
2004076304.tif 000016
【図１５】
2004076304.tif 000017
【図１６】
2004076304.tif 000018
【図１７】
2004076304.tif 000019
【図１８】
2004076304.tif 000020
【図１９】
2004076304.tif 000021
【図２０】
2004076304.tif 000022
【図２１】
2004076304.tif 000023
【図２２】
2004076304.tif 000024
【図２３】
2004076304.tif 000025
【図２４】
2004076304.tif 000026
【図２５】
2004076304.tif 000027
【図２６】
2004076304.tif 000028
【図２７】
2004076304.tif 000029
【図２８】
2004076304.tif 000030
【図２９】
2004076304.tif 000031
【図３０】
2004076304.tif 000032
【図３１】
2004076304.tif 000033
【図３２】
2004076304.tif 000034
【図３３】
2004076304.tif 000035
【図３４】
2004076304.tif 000036
【図３５】
2004076304.tif 000037
【図３６】
2004076304.tif 000038
【図３７】
2004076304.tif 000039
【図３８】
2004076304.tif 000040
【図３９】
2004076304.tif 000041
【図４０】
2004076304.tif 000042
【図４１】
2004076304.tif 000043
【図４２】
2004076304.tif 000044
【図４３】
2004076304.tif 000045
【図４４】
2004076304.tif 000046
【図４５】
2004076304.tif 000047
【図４６】
2004076304.tif 000048
【図４７】
2004076304.tif 000049